(57)【要約】      （修正有）【課題】滑車の通路とされる水平に張り渡したロープの敷設の作業を容易にしたロープ敷設器具を提供する。【解決手段】ロープ敷設器具１の基部２は左右端においてＵ字状に上方に開放されたロープの受け口３と、左右端の受け口３から中央に向けて下方に連続したロープの案内溝４が設けられている。基部２の背面を通して頭頂部５が設けられている。頭頂部５は、左右に渡り上辺が水平でかつ案内溝４の中央に向けて突出した部分５ａを有している。受け口３にロープが収容された際に、ロープから頭頂部５の上辺へ連続するように、左右端の受け口３が位置決めされている。頭頂部５の突出した部分５ａは、張力の掛けられたロープの抵抗となり、ロープを固定する。【選択図】図１
0003161702.tif 000002
【実用新案登録請求の範囲】
【請求項１】
左右端においてＵ字状に上方に開放されたロープの受け口と、前記左右端から中央に向けて下方に連続したロープの案内溝が設けられた基部を有し、前記基部の背面から上方に向けて伸延され、左右に渡り上辺が水平でかつ前記案内溝の中央に向けて突出した頭頂部とを有し、かつ前記頭頂部の断面は収容すべきロープの上側となる一部断面の形状と相似であって、前記案内溝にロープが収容された際に、ロープから前記頭頂部の上辺へ連続するように、前記左右端の受け口が位置決めされていることを特徴とするロープ敷設器具。
【請求項２】
請求項１において、頭頂部が水平面内において湾曲しており、ロープの展開方向を変更することを特徴とするロープ敷設器具。
【考案の詳細な説明】
【技術分野】
【０００１】
本考案は、農業用ハウスや温室などの園芸施設内に敷設される施設園芸に適したロープ敷設器具に関する。
【背景技術】
【０００２】
農作物や植物の育成に使用される温室は、暖房効率の向上や出荷時期の調整のために、さらに内部をカーテンにより再区画することが行われている。例えば、特許文献１においては、シート状のカーテン部材を鉛直方向に並設することで、両カーテン部材間に空気層による断熱層を形成させている。この文献によれば、柱間を一つの区切りとしてカーテン部際を配置している。また、特許文献２によれば、ワイヤーを張り渡して、滑車がその上を移動することにより、滑車の下部に吊り下げられたカーテンを開閉する技術が記載されている。
【０００３】
【特許文献１】特開２００６−３２５４０１号公報
【特許文献２】特開平９−５６２６６号公報
【特許文献３】実開平４−４５１７３号
【特許文献４】特開２０００−１７７５８２号公報
【考案の開示】
【考案が解決しようとする課題】
【０００４】
特許文献１及び特許文献２の技術においては、ワイヤーを張り渡した範囲において、小規模な閉区画を温室内に敷設することができる。柱が多く何スパンに渡る大型の温室内に、何スパンに渡るビニールハウス（以降、内設ビニールハウスと称する）を敷設しようとすると、張り渡すワイヤーが自重により垂れ下がってしまうため、幾つかに分割して敷設しなければならない。
【０００５】
一方、技術の分野は異なるが、スキー場に敷設されたリフトにおいては、曳索ワイヤーに支持された座席が支障なく滑車を通過できるように、曳索ワイヤーを固定する握索機が検討されている。例えば、特許文献３には、滑車が円滑に通過するようにロープからなだらかに線を繋いで曳索ワイヤーを固定する握索機が開示されている（図4参照）。
また、特許文献４には、曳索ワイヤーを固定する際に、曲面を持たせて握らせ、曲面の中央から端部に向かって把持力を低下させている技術が開示されている。
本考案は、水平に敷設したロープ又はワイヤー（以下、ロープと総称する）を途中で支えて、滑車が通過できるようにし、且つ敷設の作業を容易にしたロープ敷設器具を提供することを目的とする。
【課題を解決するための手段】
【０００６】
上記目的を達成するため、本考案は、左右端においてＵ字状に上方に開放されたロープの受け口と、前記左右端から中央に向けて下方に連続したロープの案内溝が設けられた基底部を有し、前記基底部の背面から上方に向けて伸延され、左右に渡り上辺が水平でかつ前記案内溝の中央に向けて突出した頭頂部とを有し、かつ前記頭頂部の断面は収容すべきロープの上側となる一部断面の形状と相似であって、前記案内溝にロープが収容された際に、ロープから前記頭頂部の上辺へ連続するように、前記左右端の受け口が位置決めされていることを特徴とする。
【考案の効果】
【０００７】
本考案に係るロープ敷設器具によれば、ロープ敷設器具を配置し、ロープを設定していくだけで簡単に敷設ができ、張りめぐらしたロープ上に滑車を滑らせて、ビニールシートの開閉が可能な内設ビニールハウスを簡単に敷設することができるという効果を有する。
【図面の簡単な説明】
【０００８】
【図１】ロープ敷設器具の正面図、左側面図である。
【図２】ロープ敷設器具の平面図である。
【図３】ロープ敷設器具にロープを敷設した状態を示した図である。
【図４】内設ビニールハウスを示した図である。
【図５】ロープの敷設状況を示した図である。
【図６】他の実施例を示した図である。
【図７】他の実施例を示した図である。
【考案を実施するための最良の形態】
【０００９】
以下、実施例により本考案に係るロープ敷設器具１を詳細に説明する。
図１Ａ、Ｂはロープ敷設器具１の正面図及び左側面図を示している。図２は平面図である。ロープ敷設器具１は金属製の金具であって、基部２と頭頂部５と首部６とから構成されている。
基部２は、左右端においてＵ字状に上方に開放されたロープの受け口３と、左右端の受け口３から中央に向けて下方に連続したロープの案内溝４が設けられており、ロープの受け口３は、Ｕ字状に底から前後に立ち上がる壁部２ａ、２ｂを有している。壁部２ａ、２ｂの高さは、受け口３により受けられたロープ上を滑車２０（図３）が通過する際に、支障の無い高さに設定するが、本実施例ではロープの直径と同じかそれよりも小さく設定されている。
【００１０】
基部２の背面から上方に向けて案内溝４の壁が伸延されており、頭頂部５に連続している。頭頂部５は、左右に渡り上辺が水平でかつ案内溝４の中央に向けて突出した部分５ａを有している。頭頂部５の上辺は、ロープ敷設器具１の外側に伸張されたロープの上辺の高さと同じとなるように設定され、かつ頭頂部５の前後の断面は収容すべきロープの上側となる一部断面の形状と相似であって、ロープを案内路とする滑車２０を支障なく通過させる形状となっている。また、受け口３にロープが収容された際に、ロープから頭頂部５の上辺へ連続するように、左右端の受け口３が位置決めされている。これにより、ロープ３上を滑車２０（図３）が通過する際に、滑車２０がロープｗから頭頂部５へ連続して通過できるようにしている。尚、滑車２０は、ロープｗに懸架できるように、Ｕ字状の溝が周囲に設けられている。
【００１１】
頭頂部５の突出した部分５ａと受け口３の底となる部分３ａの高さとの差をＬ1とすると、Ｌ1は収容すべきロープの直径よりも小さくしている。これは、張力の掛けられたロープｗの抵抗とするものである。一方、頭頂部５の突出した部分５ａの高さと案内溝４の底部２ｃの高さの差Ｌ２は、ロープの直径と同じか、それよりも大きくしてある。これは、ロープｗの直径よりも大きくするのは、ロープｗをロープ敷設器具１に設定する際の作業容易性を図ったものである。基部２及び頭頂部５は、軸線Ｇを中心に左右対称であり、軸線Ｇは頭頂部５の上辺５ｂに対して垂直となっている。
【００１２】
基部２から下方に幅を細くして連続する首部６は、軸線Ｇから案内溝４側において後ろ側の位置に延長して上に伸びており、再度、軸線Ｇの延長上に戻る形状をしている。軸線Ｇの延長上に戻った位置においてスイベル７が設けられ、ロープ敷設器具１が軸線Ｇを中心に回転できるようにしている。スイベル７の上には、温室に取り付けるためのアジャスタ８が付けられる。図示においてアジャスタ８は、リング又は外れ止めフックの一部をしめしており、梁ロープまたはロートに通すか、引っ掛ける或いは柱ｐｉ（図４）から延長される天井梁から吊り下げられる。
【００１３】
スイベル７を設けているのは、ロープ敷設器具１を張り巡らすべきロープの設置線上の角度に厳密に位置付ける必要を無くすためである。これは、ロープ敷設器具１を吊り下げて設置する場合に優位である。また、首部６が軸線Ｇより後退しているのは、滑車２０及び滑車２０に懸架された部材が衝突しないようにするためである。また、案内溝４が首部６が後退した側に設けられるのは、ロープｗの脱落の際に、首部６に引掛けることができるためである。
【００１４】
図４は、ロープ敷設器具１を用いてロープを敷設した状況を示している。図の例は、温室ｇ内において、植物を育成するために設けられた内設ビニールハウスｈである。温室ｇは、何本の柱ｐｉに支えられた何スパンもある大型の温室であり、内設ビニールハウスｈは、エネルギー効率を考慮して狭い空間に温室ｇを区画するものである。温室ｇの左右側壁の対向する柱ｐｉ間には、梁ロープｍが張られており、これに直交するようにロープｗが張られる。ロープ敷設器具１は、梁ロープｍとロープｗの直交する位置に設定される。内設ビニールハウスｈは、中に人間が入れない狭い空間であるため、肥料を散布する際や出荷の際には、ビニールシートｂを剥ぐ必要がある。本実施例では、ビニールシートｂを容易に移動できる内設ビニールハウスｈを簡易に設定できる。
【００１５】
図５に取り付けの手順を示す図である。ロープ敷設器具１は、ロープｗを敷設する経路にロープ敷設器具１を設置する。次に、ロープｗの両端を別途用意したタンパックル等の固定具ｆにより温室内に固定する。この際、設置されたロープ敷設器具１にロープｗを取り付けられる緩さとする。
【００１６】
ロープｗは、固定具ｆで緊張されている範囲で張られているので、ロープ敷設器具１の方をロープｗに合せるように案内溝４からあてがうように傾けながら導入する。
【００１７】
取り付け順は、ロープｗの長さ中心付近から端に向けて１つずつ左右交互に取り付けていくのが望ましい。これは、ロープ敷設器具１を吊り下げる梁ロープｍとロープｗが直交しているため、ロープｗを最終的に固定具ｆで緊張させた場合に出来るだけ鉛直下に設定したいからである。
【００１８】
各ロープ敷設器具１にロープｗを設定した後、ロープｗの両端の固定具ｆにより、ロープｗを緊張させる。張力が加わると、各ロープ敷設器具１において、頭頂部５の抵抗によりロープｗが固定されて、隣同士のロープ敷設器具１で滑車２０やその懸架物の荷重を支えることができる。
【００１９】
このように、ロープ敷設器具1を配置し、ロープを設定していくだけで簡単に敷設ができる。図４は、このようにして敷設されたロープｗを示している。ロープ敷設器具１は、柱ｐｉ間に張られた梁ロープｍ又はロットから吊り下げられる。温室ｇ内に４列の内設ビニールハウスｈを張る場合には、各ロープｍに４つずつロープ敷設器具1を吊り下げる（図４Ｂ）。尚、図において、ロープ敷設器具1は模式的に示してある。
【００２０】
ロープ敷設器具１の頭頂部５は、水平に引張されたロープｗ（ロープｗは自重により若干は弓状となっている）から滑らかに連続する面を有することになるため、ロープｗ上を滑車２０が移動できる。図４に示すように、滑車２０からはアーチ状のリムｒが紐ｓにより吊り下げられている。リムｒにはビニールシートｂが被さられて、内設ビニールハウスｈを形成している。ビニールシートｂを移動すると、滑車２０がロープｗ上或いは、ロープ敷設器具１の頭頂部５上を移動して、内設ビニールハウスｈの伸張・縮小が可能となる。
【００２１】
本実施例によれば、ロープｗ上の滑車２０を移動させることにより、何スパンにも渡る大型な内設ビニールハウスｈを移動させることができる。大型な内設ビニールハウスｈの場合、カーテンレールを用いて敷設することが行われているが、カーテンレールが高価なこと、また一度設置すると、商品植物の変更により、温室内での内設ビニールハウスを移設することが必要になった場合は多大の作業を要している。これに対して、本実施例によればロープ敷設器具１を配置して行くだけで、移設を簡単に行うことができる。
【００２２】
上記実施例においては、首部６の軸線Ｇの延長上にスイベルを介してアジャスタ８をとりつけられたが、図６に示すロープ敷設器具１００のように、スイベルを介さずに、直接温室内の柱等の構造物への取付け用のアジャスタ９を取り付けても良い。本実施例においては、首部６を省略してアジャスタ９に基部２を固定している。
【００２３】
図７に、他の実施例に係るロープ敷設器具２００である。このロープ敷設器具２００は、頭頂部５が水平面内において湾曲している。湾曲の方向は、案内溝４が湾曲の外周側にくるようにする。ロープｗが張力を受けるに他の構成はロープ敷設器具１と同じであり、同一の引用符号が付してある。図の実施例においては、首部６は湾曲の外周側に配置されている。また、図４で示した実施例ではロープ敷設器具１に取り付けるアジャスタ８として梁ロープｍに通して設定するものを利用したが、本実施例においては温室の構造物（例えば、柱や梁等）に直接固定するアジャスタを用いる。また、このときスイベル７を介さずに首部６を直接固定するアジャスタを用いるのが良い。尚、本実施例の首部６の位置は、破線で示す首部６'のように首部を内周側に配置でも良い。ロープ敷設器具２００を用いることにより、ｗ’の位置に進展すべきロープｗの展開方向を、首部６を内周側に湾曲により獲られた角度θだけ変えることが可能になる。
【符号の説明】
【００２４】
１  ロープ敷設器具
２  基底部
３  受け口
４  案内溝
５  頭頂部
６  首部
【図１】
0003161702.tif 000003
【図２】
0003161702.tif 000004
【図３】
0003161702.tif 000005
【図４】
0003161702.tif 000006
【図５】
0003161702.tif 000007
【図６】
0003161702.tif 000008
【図７】
0003161702.tif 000009